(57)【特許請求の範囲】
【請求項１】
構造物躯体の開口部周縁部に沿って設けられた案内手段に沿って移動することによって前記開口部を開閉するシート状の基本カーテン部材からなる開閉体手段と、
前記基本カーテン部材の下端部を折り返すことによって形成された袋状部分に金属製の錘を挿入し、前記錘及び前記袋状部分をその両側から挟み、かつ、前記錘及び前記袋状部分を挿通するように複数のボルト及びナットで締結することによって前記開閉体手段の閉鎖方向側先端部に設けられた座板手段と、
前記開閉体手段の開閉動作を制御する開閉制御手段とから構成される開閉装置の改修方法において、
前記座板手段を開口部の所定の位置に巻き上げて、前記複数のボルト及びナットから全てのナットを取り外すと共に前記座板手段が前記基本カーテン部材から落下しない程度に前記複数のボルトの中から一部のボルトを取り外す第１の工程と、
前記座板手段を前記閉鎖方向側が幅広に構成された略凸字形状の座板手段に交換する第２の工程と、
前記略凸字形状の座板手段の閉鎖方向側の平坦部に、障害物と接触することによって感知信号を出力する障害物感知手段を取り付ける第３の工程と、
前記第１の工程にて取り外したボルトを前記第１の工程にて取り外したナット側から保護シートと共に前記座板手段に挿通させる第４の工程と、
前記第１の工程で取り外さずに残した前記ボルトを取り外す第５の工程と、
前記座板手段の略凸字形状の幅広部分及び前記障害物感知手段を覆い包むように前記保護シートを折り返し、折り返した前記保護シートの両端部を前記座板手段の略凸字形状の幅狭部分に前記ボルト及びナットによって固着する第６の工程とによって、前記座板手段を交換することを特徴とする開閉装置の改修方法。
【請求項２】
構造物躯体の開口部周縁部に沿って設けられた案内手段に沿って移動することによって前記開口部を開閉するシート状の基本カーテン部材からなる開閉体手段と、
前記基本カーテン部材の下端部を折り返すことによって形成された袋状部分に金属製の錘を挿入し、前記錘及び前記袋状部分をその両側から挟み、かつ、前記錘及び前記袋状部分を挿通するように複数のボルト及びナットで締結することによって前記開閉体手段の閉鎖方向側先端部に設けられた略凸字形状の座板手段と、
前記開閉体手段の開閉動作を制御する開閉制御手段とから構成される開閉装置の改修方法において、
前記座板手段を開口部の所定の位置に巻き上げて、前記複数のボルト及びナットから全てのナットを取り外すと共に前記座板手段が前記基本カーテン部材から落下しない程度に前記複数のボルトの中から一部のボルトを取り外す第１の工程と、
前記略凸字形状の座板手段の閉鎖方向側の平坦部に、障害物と接触することによって感知信号を出力する障害物感知手段を取り付ける第２の工程と、
前記第１の工程にて取り外したボルトを前記第１の工程にて取り外したナット側から保護シートと共に前記座板手段に挿通させる第３の工程と、
前記第１の工程で取り外さずに残した前記ボルトを取り外す第４の工程と、
前記座板手段の略凸字形状の幅広部分及び前記障害物感知手段を覆い包むように前記保護シートを折り返し、折り返した前記保護シートの両端部を前記座板手段の略凸字形状の幅狭部分に前記ボルト及びナットによって固着する第５の工程とによって、前記座板手段に前記障害物感知手段及び前記保護シートを後から取り付けることを特徴とする開閉装置の改修方法。
【請求項３】
請求項１又は２に記載の開閉装置の改修方法において、前記保護シートは、前記座板手段の幅狭部分から前記幅広部分に変化する箇所に形成される略Ｌ字形の凹部に合致するように形成された略Ｌ字形状のシート押さえ部材によって前記座板手段に対して挟み込まれるように固着されることを特徴とする開閉装置の改修方法。
【請求項４】
請求項１、２又は３に記載の開閉装置の改修方法において、前記第１の工程にて前記ボルトを取り外す際に、前記ボルトの並びから一つ置きに取り外すことを特徴とする開閉装置の改修方法。
【請求項５】
請求項１、２、３又は４に記載の開閉装置の改修方法において、前記保護シートを固着する際に、全てのボルトを改修前のボルトの挿通方向と同一方向に揃えることを特徴とする開閉装置の改修方法。
【発明の詳細な説明】
【技術分野】
【０００１】
本発明は、ビル、工場、倉庫などの建物を含む構造物躯体の開口部などをシート状の軟性部材を含んで構成された開閉体手段を用いて仕切るように構成された開閉装置の改修方法に係り、特に開閉体手段の開閉動作中に障害物を感知することのできる開閉装置の改修方法に関する。
【背景技術】
【０００２】
開閉装置は、ビル、工場、倉庫、車庫などの建物を含む構造物躯体の開口部に設置され、開閉体手段であるシートシャッターを移動させることによってその開口部を閉鎖するものである。開閉装置は、開口部の上部から開閉体手段であるシートシャッターを徐々に繰り出し下降させて開口部全体を閉鎖する。このようなシートシャッターからなる開閉装置は、開閉体手段であるシートシャッター自体が比較的軽量で柔軟性のある可撓性シート材料などから構成されているため、閉鎖動作中にシートシャッターが物体などに接触したとしても、その衝撃等は比較的小さく比較的安全である。故に、従来は、シートシャッターの閉鎖方向側先端の障害物等を感知可能な障害物感知装置等は設けられていなかったのが現状である。しかしながら、このシートシャッターの降下（閉鎖）動作中にシートシャッターの下端部である座板などに当接した際の衝撃を一層減らして、より安全性を高めることが望まれている。このように、より安全性を向上させるために、物体感知構造を持つ障害物感知装置を座板に設けるようにしたものとして特許文献１に示すようなものが提案されている。
【０００３】
【特許文献１】特開２００７−１５４４１２号公報
【発明の開示】
【発明が解決しようとする課題】
【０００４】
特許文献１には、開閉体手段の閉鎖方向側先端の座板に障害物感知装置として帯状のテープスイッチなどを設けたものが記載されている。また、特許文献１には、座板に設けたテープスイッチなどの障害物感知部が火災時の火炎や熱により、が焼損してしまったり溶融してしまったり等するのを防ぐために、保護シートで覆い包むようにしたものが記載されている。
【０００５】
しかしながら、既存の開閉装置においては、特許文献１に記載のようなテープスイッチなどの障害物感知部が座板に設けられていないので開閉装置に座板部に改修工事等を施して上述のような障害物感知部を取り付けたり、また、座板をこの障害物感知部を取り付け可能なものに変更したり、座板部全体を取り替えるという作業を行なわなければならなかった。このような改修工事を行なうことは、コスト的にも多大な負担となり、改修工事に要する時間も長大となり、コスト及び時間の面で種々の問題を有していた。
【０００６】
この発明は、障害物感知部を備えていないシートシャッターなどの開閉装置に対して、後付けで障害物感知部及びその保護シートを低コストで短時間に取り付けることのできる開閉装置の改修方法を提供することを目的とする。
【課題を解決するための手段】
【０００７】
本発明に係る開閉装置の第１の特徴は、構造物躯体の開口部周縁部に沿って設けられた案内手段に沿って移動することによって前記開口部を開閉する開閉体手段と、前記開閉体手段の開閉動作を制御する開閉制御手段とから構成される開閉装置において、前記開閉体手段の閉鎖方向側先端部に設けられた前記閉鎖方向側が幅広に構成された略凸字形状の座板手段と、前記略凸字形状の座板手段の閉鎖方向側の平坦部に設けられ、障害物と接触することによって感知信号を出力する障害物感知手段と、前記座板手段の略凸字形状の幅広部分及び前記障害物感知手段を覆い包むように前記座板手段の略凸字形状の幅狭部分に締結部材によってその両端部を固着された保護シート手段とを備えたことにある。
ビル、住宅、工場、倉庫等の建物などの構造物躯体における、出入口や窓部、あるいは構造物内部の通路や空間などの開口部などを開閉移動する開閉装置として、開閉体部分をシート状の開閉体手段であるシートシャッターを用いたものがある。開閉体手段が開口部を閉鎖動作しているときに、何らかの障害物等が開閉体手段の先端部である座板等に接触した場合、安全性の観点から開閉体手段の閉動作を停止することが望ましい。そこで、この発明では、座板手段を略凸字形状の座板手段で構成し、この座板手段の閉鎖方向側の平坦部に障害物感知手段を設け、座板手段の略凸字形状の幅広部分及び障害物感知手段を全体的に覆い包むように座板手段の略凸字形状の幅狭部分に締結部材によって保護シート手段の両端部を固着するように構成した。このように保護シートを座板手段の略凸字形状の幅狭部分に締結部にて固着することによって締結部が座板手段の略凸字形状の幅広部分の内側に存在するようになるので、開閉体手段の開閉動作時に締結部が何らかの障害物等に接触したりするおそれを極力防止することが可能となる。
【０００８】
本発明に係る開閉装置の第２の特徴は、前記第１の特徴に記載の開閉装置において、前記保護シートが、前記座板手段の幅狭部分から前記幅広部分に変化する箇所に形成される略Ｌ字形の凹部に合致するように形成された略Ｌ字形状のシート押さえ部材によって前記座板手段に対して挟み込まれるように固着されることにある。この発明では、座板手段が幅狭部分から幅広部分に変化する箇所に形成される略Ｌ字形の凹部の形状を利用し、この略Ｌ字形の凹部の形状に合致するように形成された略Ｌ字形状のシート押さえ部材を用いて保護シート手段を効率良く押えて挟み込むことによって、保護シート手段の糸のほつれなどを抑制し、確実に保護シート手段を座板手段に固定できるという効果がある。
【０００９】
本発明に係る開閉装置の改修方法の第１の特徴は、構造物躯体の開口部周縁部に沿って設けられた案内手段に沿って移動することによって前記開口部を開閉する開閉体手段と、前記開閉体手段の開閉動作を制御する開閉制御手段とから構成される開閉装置の改修方法において、前記開閉体手段の閉鎖方向側先端部に設けられる座板手段を前記閉鎖方向側が幅広に構成された略凸字形状の座板手段に交換し、前記略凸字形状の座板手段の閉鎖方向側の平坦部に、障害物と接触することによって感知信号を出力する障害物感知手段を取り付け、前記座板手段の略凸字形状の幅広部分及び前記障害物感知手段を覆い包むように前記座板手段の略凸字形状の幅狭部分に締結部材によって保護シート手段の両端部を固着することにある。これは、開閉体手段の座板手段に障害物感知手段が設けられていない場合に、座板手段を略凸字形状の座板手段に交換し、略凸字形状の座板手段の閉鎖方向側の平坦部に障害物感知手段を設け、座板手段の略凸字形状の幅広部分及び障害物感知手段を全体的に覆い包むように座板手段の略凸字形状の幅狭部分に締結部材によって保護シート手段の両端部を固着するように構成したものである。
【００１０】
本発明に係る開閉装置の改修方法の第２の特徴は、前記第１の特徴に記載の開閉装置の改修方法において、前記開閉体手段の閉鎖方向側先端部に既に前記略凸字形状の座板手段が設けられていて、その既存の座板手段に前記障害物感知手段及び前記保護シートを後から取り付ける場合に、前記座板手段に設けられた前記締結部材の複数の中から一部の締結部のみを取り外すことによって、前記座板手段を前記案内手段及び前記開閉体手段から取り外すことなく取り付けるようにしたことにある。これは、既存の座板手段が略凸字形状である場合には、その既存の座板手段を案内手段及び開閉体手段から取り外さなくても障害物感知手段及び保護シートを後から取り付けることができるようにしたものである。
【発明の効果】
【００１１】
本発明によれば、障害物感知部を備えていないシートシャッターなどの開閉装置に対して、後付けで障害物感知部及びその保護シートを低コストで短時間に取り付けることができるという効果がある。
【図面の簡単な説明】
【００１２】
【図１】この発明の実施の形態に係る開閉装置の概略構成を示す図である。
【図２】障害物を感知する装置を具備していない開閉装置の略凸字形状の座板部を示す図である。
【図３】図２の略凸字形状の座板部に障害物を感知するテープスイッチを接着固定する手順を示す図である。
【図４】略凸字形状の座板部に座板部材側から不燃性生地の保護シートを取り付ける手順を示す図である。
【図５】略凸字形状の座板部に不燃性生地の保護シートを略Ｌ字形鋼の座板スクリーン押さえ板で挟み込んだ状態を示す図である。
【図６】略凸字形状の座板部に不燃性生地の保護シートを略Ｌ字形鋼の座板スクリーン押さえ板で挟み込む手順を示す図である。
【図７】略凸字形状の座板部に不燃性生地の保護シートを略Ｌ字形鋼の座板スクリーン押さえ板で挟み込んだ状態を示す図である。
【図８】本発明に係る開閉装置の座板部に不燃性生地の保護シートを取り付けた完成形を示す図である。
【発明を実施するための最良の形態】
【００１３】
以下、本発明の一実施の形態に係るシートシャッターを備えた開閉装置の好ましい実施の形態について説明する。この発明では、障害物感知部を備えていない既存の開閉装置に対して、障害物感知部及びこの障害物感知部を保護するための不燃性生地の保護シートを設ける場合について説明する。
【００１４】
図１は、この発明の実施の形態に係る開閉装置の概略構成を示す図である。開閉装置１０は、開口部の両側壁部（周縁部）に相対して垂直状に固定された案内手段であるガイドレール２，３と、これらのガイドレール２，３に沿って移動自在、すなわち昇降自在に設けられ、開口部を開閉する開閉体４と、ガイドレール２，３の上部のシャッターケース６内に設けられ、開閉体４を昇降させる開閉機５とを有して構成されている。
【００１５】
本明細書中において、開口部とは、建物等の構造物の出入口、非常口、通路等の開口部及び、防火・防煙上の防災区画として閉鎖する必要がある箇所の開口部の総称として用いる。また、ガイドレール２，３は、互いに対向する対向面であって開閉体４の移動方向に沿って開口された挿入口をそれぞれ有し、この相対する挿入口には開閉体４の両側端部に形成された挿入部がそれぞれ昇降自在に挿入されている。
【００１６】
開閉体４は、例えば変形可能なシート部材又は弾性部材にて形成され、この部材は、開閉装置１０の設置箇所または用途に応じて適宜選択される。たとえば、開閉装置１０が防災区画として区画を形成するために閉鎖する必要がある箇所等で防火・防煙の用途として使用される場合や避難口の閉鎖用として使用される場合には、たとえば、ガラスクロス、シリカクロスなどの不燃性生地等にて形成されることが好ましい。また、開閉装置１０が、防火・防煙の用途以外の箇所、たとえば、保冷庫、工場等の出入口等で気密保持の用途として使用される場合や人または物品が通過する出入口等の閉鎖用として使用される場合には、たとえば、塩化ビニール、ポリエステル等の合成樹脂製シート、不燃性を有しない生地、スポンジ等の発泡性合成樹脂等にて成型された弾性部材等にて形成されることが好ましい。
【００１７】
開閉機５は、開閉体４の上部付近に位置して開口部の天井部内に配設固定されたシャッターケース６内に設けられている。シャッターケース６内には、回転自在に軸架された巻取ドラム７を有する巻取軸８が設けられている。開閉機５は、回転駆動させる正逆回転自在のモータやブレーキ等から構成され、このモータの回転軸に設けられた主動スプロケット５１と、巻取軸８の回転軸に設けられた従動スプロケット５２とがチェーン５３によって連結され、駆動力が伝達されるようになっている。従って、開閉機５の回転駆動力はチェーン５３を介して巻取軸８側に伝達され、開閉機５が回転すると、チェーン５３を介して巻取軸８が回転し、開閉体４の開閉動作が制御されるようになっている。開閉機５は、制御構成がマイクロコンピュータ構成になっており、図示していない電源ラインを介して電力が供給されている。開閉機５の制御は、開閉体４の動作時に開閉共にブレーキ解除してモーター駆動するのが一般的であるが、開閉体４を閉鎖（降下）させる際にはブレーキ解除をしモータ駆動せずに開閉体４を自重閉鎖させるようにすることも可能である。
【００１８】
シャッターケース６は、下面に沿って開口した案内口（図示せず）を有し、この案内口の両端部にガイドレール２，３の上端部がそれぞれ挿入固定されている。また、シャッターケース６の案内口は、ガイドレール２，３の挿入口に連通して開口されると共に開口部に連通して開口しており、この案内口に案内されて開閉体４が昇降移動されるようになっている。
【００１９】
巻取ドラム７を有する巻取軸８は、シャッターケース６内に水平状に配置され、その両端部がシャッターケース６内の両側部に設けられた図示しない軸受体にて回転自在に軸架されている。また、巻取軸８の一端部にこの巻取軸８を回転させる従動スプロケット５２が固定的に設けられている。
【００２０】
開閉機５は、シャッターケース６内に固定され、この開閉機５の出力軸には、従動スプロケット５２に対向した主動スプロケット５１が固定され、この主動スプロケット５１と従動スプロケット５２との間には開閉機５の出力軸の回転を従動スプロケット５２に伝達するチェーン（無端回行体）５３が回行自在に掛け回されている。なお、開閉機５は図示しない制御手段により制御される。
【００２１】
座板部４３は、開閉体４が閉鎖動作する際に、自重によって開閉体４を下方へ引っ張り、地面や床面等に当接される部材であり、基本カーテン部材４２の下端側（閉鎖方向側先端）に、開閉体幅方向の略全長にわたって設けられている。
【００２２】
以下、図２〜図８を用いて、障害物感知部を備えていない既存の開閉装置に対して、障害物感知部及びこの障害物感知部を保護するための不燃性生地の保護シートを設ける改修工事の一例を説明する。図２は、障害物を感知する装置を具備していない既存の開閉装置の略凸字形状の座板部４３を示す図であり、図２（Ａ）は開閉装置の座板部４３を抜き出して示す斜視図であり、図２（Ｂ）は、図２（Ａ）の座板部をＸ方向から見た図を示す。図２から明らかなように、座板部４３は、基本カーテン部材４２の下端部を折り返すことによって形成された袋状部分に、金属製の平板状の錘４４が開閉体幅方向の略全長にわたって挿入されている。
【００２３】
平板状錘４４の挿入された基本カーテン部材４２の袋状部分を両側から挟むように、金属製の座板部材４３１と座板部材４３２がボルト６００〜６０４及びナット６１０〜６１４によって取り付けられている。座板部４３１は、床面２０に当接されるものであり、床面２０と当接する箇所が平坦部となっている。座板部材４３２は、略Ｌ字形をしており、平板状錘４４とほぼ同じ幅をしており、平板状錘４４の下端部をＬ字形の内側屈曲部で保持可能に取り付けられている。この座板部材４３１，４３２は、平板状錘４４と基本カーテン部材４２を挿通するように締結されたボルト６００〜６０４及びナット６１０〜６１４によって、互いに連結されて一体化されている。図２（Ｂ）に示すように、一体化された座板部材４３１，４３２は、全体形状が略凸字形状となっており、座板部材４３１の幅よりも内側にボルト６００〜６０４及びナット６１０〜６１４が位置するように構成されている。これは、座板部を構成するボルト６００〜６０４及びナット６１０〜６１４が開閉動作時に何らかの障害物等に接触するのを極力防止するためである。なお、ボルト、ナット以外に締結部材としてリベット等の他の部材を用いてもよい。また、この実施の形態では、５組のボルトとナットで連結固定された場合を示しているが、これに限定されるものではない。
【００２４】
図３は、図２の略凸字形状の座板部４３の床面側平坦部を利用して、障害物感知部を接着固定する手順の一例を示す図であり、図３（Ａ）は、障害物を感知する装置を具備していない開閉装置の座板部４３に障害物を感知する装置を取り付ける際の様子を示す斜視図であり、図３（Ｂ）図は、図３（Ａ）の座板部をＸ方向から見た図を示す。まず、開閉装置の開閉体４を開口部の改修作業が行い易い位置、すなわち開口部のほぼ中間位置まで巻き上げる。なお、改修作業性によってはガイドレール２，３から開閉体４を直接取り外して改修作業を行った方がよい場合もあるが、この実施の形態では、開閉体４を取り付けたままで作業を行なう場合について説明する。座板部４３を構成する金属製の座板部材４３１の床面側の平坦部にテープスイッチ６４を取り付ける。テープスイッチ６４は、開閉体幅方向の略全長にわたって接着剤および両面接着テープ等で接着固定される。なお、接着固定手段としてねじ止め、リベット止め等の他の接着手段を用いてもよい。テープスイッチ６４が障害物感知部である。閉鎖中の開閉体４が障害物に当接してテープスイッチ６４が障害物によって押圧されると、テープスイッチ６４から感知信号が開閉制御手段に出力され、開閉体４の停止、反転動作などの回避制御が行われる。
【００２５】
図４は、略凸字形状の座板部４３に座板部材４３１側から不燃性生地の保護シートを取り付ける手順を示す図であり、図４（Ａ）は、座板部４３に保護シートを取り付ける際の斜視図を示し、図４（Ｂ）は、図４（Ａ）の座板部をＸ方向から見た図を示す。図４に示すように、保護シートとなる座板用スクリーン６５の取り付け方法として、まず、ボルト６００〜６０４及びナット６１０〜６１４を緩め、座板部４３からナット６１０〜６１４のみを取り外す。次に、ボルト６００〜６０４の中からボルト６０１，６０３のみを座板部４３から抜き取る。すなわち、ボルト６００〜６０４の並びから一つ置きにボルト６０１，６０３を抜き取る。これにより座板部４３を基本カーテン部材４２から分離しなくても以降の改修作業を行なうことができる。なお、ボルト６００〜６０４の中から座板部４３が基本カーテン部材４２から落下および作業性を落とさない程度であれば、両端のボルト６００，６０４のみを抜き取ってもよい。また、この実施の形態とは逆にボルト６０１，６０３のみを残して、これ以外のボルト６００，６０２、６０４を抜き取ってもよい。
【００２６】
図４に示すように、座板部４３にはボルト６００，６０２、６０４が残っているので、これらのボルト６００，６０２、６０４に対して座板部材４３１側から座板用スクリーン６５の貫通孔（図示せず）を挿通させ、座板用スクリーン６５の外側から略Ｌ字形鋼の座板スクリーン押さえ板４３３で座板用スクリーン６５を挟み込むようにして、座板スクリーン押さえ板４３３もボルト６００，６０２，６０４に挿通される。ボルト６００，６０２，６０４に挿通された略Ｌ字形鋼の座板スクリーン押さえ板４３３によって、座板用スクリーン６５は座板部材４３１の外形面（Ｌ面）に押し付けられ固定される。このとき、ボルト６００，６０２，６０４が抜け落ちないように注意する。また、抜き取られたボルト６０１，６０３を略Ｌ字形鋼の座板スクリーン押さえ板４３３の外側からボルト６０１，６０３が抜き取られた箇所に挿通させる。従って、ボルト６００，６０２，６０４は座板部材４３２の外側すなわち図４（Ｂ）の右側から、ボルト６０１，６０３は略Ｌ字形鋼の座板スクリーン押さえ板４３３の外側すなわち図４（Ｂ）の左側から、それぞれ座板部材４３１，４３２によって形成された略凸字形状の座板部４３の幅の狭い箇所を挟み込むようにして挿通された状態を維持する。
【００２７】
図５は、略凸字形状の座板部４３に不燃性生地の保護シートを略Ｌ字形鋼の座板スクリーン押さえ板４３３で挟み込んだ状態を示す図であり、図５（Ａ）は、座板部４３に保護シートが取り付けられた状態の斜視図を示し、図５（Ｂ）は、図５（Ａ）の座板部をＸ方向から見た図を示す。前述のようにして、略Ｌ字形鋼の座板スクリーン押さえ板４３３を取り付けた後、座板部４３からボルト６００，６０２，６０４を抜き取る。これらのボルトを抜き取ったとしても、座板部材４３１、座板部材４３２、座板用スクリーン６５、略Ｌ字形鋼の座板スクリーン押さえ板４３３はボルト６０１，６０３によって、一時的に固定された状態を維持することができる。
【００２８】
図６は、略凸字形状の座板部４３に不燃性生地の保護シートを略Ｌ字形鋼の座板スクリーン押さえ板４３４で挟み込む手順を示す図であり、図６（Ａ）は、座板部４３に保護シートが取り付けられた状態の斜視図を示し、図６（Ｂ）、図６（Ｃ）は、図６（Ａ）の座板部をＸ方向から見た図を示す。前述のようにボルト６００，６０２，６０４が抜き取られた後、保護シートとなる座板用スクリーン６５を図６（Ｂ）の矢印に示すように、テープスイッチ６４の接着固定された座板部材４３１全体を覆い包むように折り返し、座板用スクリーン６５の反対側端部が座板部４３の右側でボルト６０１，６０３に座板用スクリーン６５の端部を挿通させる。ボルト６０１，６０３に挿通された座板用スクリーン６５に対して、図６（Ｃ）に示すように、その右側から略Ｌ字形鋼の座板スクリーン押さえ板４３４を座板部４３から突出しているボルト６０１，６０３に挿通させて押し付け、座板用スクリーン６５を座板部材４３１，４３２との間で挟み込み、ナット６１１，６１３をボルト６０１，６０３に連結させて固定する。
【００２９】
図７は、略凸字形状の座板部４３に不燃性生地の保護シートを略Ｌ字形鋼の座板スクリーン押さえ板４３３，４３４で挟み込んだ状態を示す図であり、図７（Ａ）は、座板部４３に保護シートが取り付けられた状態の斜視図を示し、図７（Ｂ）は、図７（Ａ）の座板部をＸ方向から見た図を示す。前述のように、ボルト６０１，６０３とナット６１１，６１３が連結され、座板用スクリーン６５が締め付け固定された場合、座板用スクリーン６５は座板部材４３１，４３２によって形成された略凸字形状の座板部４３を覆い包むように設けられている。図７に示すように、座板用スクリーン６５を締め付け固定する際には、座板用スクリーン６５とテープスイッチ６４との間に若干の隙間が出来るように、適度な弛みをもたせるようにすることが好ましい。また、座板用スクリーン６５は開閉体４の基本カーテン部材４２と同材質の不燃性生地等にて形成するのが好ましく、開閉体幅方向の略全長にわたって設けられることが好ましい。一般的な開閉装置の設置状況では、座板用スクリーン６５は全閉時に地面や床面等に当接することが想定されるため、座板用スクリーン６５は開閉体４の基本カーテン部材４２よりも厚くしたり、撥水コートする等して耐久性向上、汚れ防止等をはかってもよい。
【００３０】
図８は、開閉装置の座板部４３に不燃性生地の保護シートを取り付けた完成形を示す図であり、図８（Ａ）は、座板部４３に保護シートが取り付けられた完成形の斜視図を示し、図７（Ｂ）は、図７（Ａ）の座板部をＸ方向から見た図を示す。図５に示すように、第２作業中に抜き取ったボルト６００，６０２，６０４を略Ｌ字形鋼の座板スクリーン押さえ板４３４側であって、それぞれ抜き取った箇所から挿通させる。そして、略Ｌ字形鋼の座板スクリーン押さえ板４３３側からそれぞれ突出するボルト６００，６０２，６０４のネジ部にナット６１０，６１２，６１４を連結して締め付け固定する。なお、図８ではボルト６００，６０１，６０２，６０３，６０４の挿通方向が一つ置きに逆なっているが、最初の図２に示すように同一方向に揃えるようにしてもよい。
【００３１】
なお、上述の実施の形態では、座板スクリーン押さえ板４３３，４３４として略Ｌ字形鋼を用いる場合について説明したが、略平板状のものを用いるようにしてもよい。座板スクリーン押さえ板４３３，４３４の形状を略Ｌ字形状にすることで座板部４３の略凸字形状座板部既存の形状と合致させ、さらに、このＬ字箇所に座板用スクリーン６５を挟み込むことができるので、座板用スクリーン６５を確実に固定することができる。テープスイッチ６４は図示しないリード線によって接続されており、座板部４３に固定された図示しない配線カバーを介して、シャッターケース６内の制御装置へと配線されている。
【００３２】
上述の実施の形態によれば、ボルト６００〜６０４及びナット６１０〜６１４によって互いに連結されて一体化された座板部材４３１，４３２は、その全体形状が略凸字形状となっており、さらに、座板部４３１の幅よりも内側にボルト６００〜６０４及びナット６１０〜６１４が位置するように構成されている。これは、座板部を構成するボルト６００〜６０４及びナット６１０〜６１４が開閉動作時に何らかの障害物等に接触するのを極力防止するためである。この実施の形態では、座板部材４３１，４３２の全体形状が略凸字形状の場合について説明したが、既存の座板が略凸字形状でない場合には、実施の形態のような略凸字形状の座板部材４３１，４３２に交換することが好ましい。また、上述の実施の形態によれば、開閉装置の略凸字形状座板部の形状を利用し、略Ｌ字形の座板スクリーン押さえ板で保護シートを効率良く押え挟み込み糸のほつれなどを抑える効果がある。また、開閉体をシャッターケースに巻き上げ収納した場合でも、下から見上げた意匠的な見栄えも向上するという効果がある。上述の実施の形態では、開閉体巻取り方式の開閉装置を例に説明したが、本発明はオーバーヘッドドア方式や折り畳み収納式のように開閉体を巻き取らないで開閉する開閉装置にも適用することできる。
【符号の説明】
【００３３】
１０…開閉装置
２，３…ガイドレール
４…開閉体
５…開閉機
６…シャッターケース
７…巻取ドラム
８…巻取軸
５１…主動スプロケット
５２…従動スプロケット
５３…チェーン
４２…基本カーテン部材
４３…座板部
２０…床面
４３１，４３２…座板部材
４４…平板状錘
６００〜６０４…ボルト
６１０〜６１４…ナット
６４…テープスイッチ
６５…座板用スクリーン
４３３，４３４…座板スクリーン押さえ板
【図１】
0005683937.tif 000002
【図２】
0005683937.tif 000003
【図３】
0005683937.tif 000004
【図４】
0005683937.tif 000005
【図５】
0005683937.tif 000006
【図６】
0005683937.tif 000007
【図７】
0005683937.tif 000008
【図８】
0005683937.tif 000009